(57)【要約】【課題】  定着装置の発する熱を効果的に除去することで中間転写ベルトに対する熱の影響を小さくすることが可能なタンデム型カラー画像形成装置を得ること。【解決手段】  像担持体が担持する画像が重畳して転写される中間転写ベルト１５を備えた画像形成部５と、画像形成部５から搬送される被転写材Ｐ上の画像を定着する定着手段３１とを有するタンデム型カラー画像形成装置において、定着手段３１と画像形成部５との間を区画する区画部材４５が配設され、この区画部材４５より定着手段３１の被転写材搬送方向下流側であって、装置本体の側壁５３と区画部材４５との間に形成される大気流路５７の上部に定着手段３１から発生する熱を装置本体外に排出し、被転写材Ｐを冷却する強制冷却手段４７が設けられていることを特徴とする。【選択図】        図３
2005301112.tif 000002
【特許請求の範囲】
【請求項１】
像担持体が担持する画像が重畳して転写される中間転写ベルトを備えた画像形成部と、この画像形成部から搬送される被転写材上の画像を定着する定着手段とを有するタンデム型カラー画像形成装置において、
前記定着手段と画像形成部との間を区画する区画部材が配設され、この区画部材より定着手段の被転写材搬送方向下流側であって、装置本体の側壁と区画部材との間に形成される大気流路の上部に定着手段から発生する熱を装置本体外に排出し、被転写材を冷却するための強制冷却手段が設けられていることを特徴とするタンデム型カラー画像形成装置。
【請求項２】
大気流路は、画成板によって、区画部材側であって定着手段から発する熱が強制冷却手段のある方向へ輸送される第１の流路と、被転写材から発する熱が強制冷却手段のある方向へ輸送される第２の流路とにセパレートされており、前記大気流路における大気の流通方向は、前記中間転写ベルトの走行方向に沿っていることを特徴とする請求項１に記載のタンデム型カラー画像形成装置。
【請求項３】
第２の流路には開閉板が設けられていることを特徴とする請求項２に記載のタンデム型カラー画像形成装置。
【請求項４】
開閉板は、開位置で、被転写材から発する熱が強制冷却手段のある方向へ輸送されるように第２の流路を開放し、閉位置で、第２の流路を閉鎖するようになっていることを特徴とする請求項３に記載のタンデム型カラー画像形成装置。
【請求項５】
区画部材は、前記定着手段と画像形成部との間に配置される吸熱部と、該吸熱部に接続され前記強制冷却手段よりも上方に配置される放熱部とを備えていることを特徴とする請求項１〜４の何れか１項に記載のタンデム型カラー画像形成装置。
【発明の詳細な説明】
【技術分野】
【０００１】
この発明は、定着装置から中間転写ベルトへの熱の影響を低減することが可能なタンデム型カラー画像形成装置に関する。
【背景技術】
【０００２】
複数の像担持体を直列に並べて配置し、各像担持体上に形成したトナー像を中間転写ベルト上に重畳転写した後に、被転写材に２次転写し、定着装置において熱と圧力を加えることにより該トナー像を定着し、重畳したカラー画像を得るタンデム型カラー画像形成装置が広く知られている。
【０００３】
タンデム型カラー画像形成装置では、装置サイズを小型化するために、定着装置を中間転写ベルトの下側に配置することが一般的に行われているが、定着装置の発する熱が対流や放射で中間転写ベルトに伝わり、中間転写ベルトが影響を受けてしまうという問題点がある。即ち、定着装置の近傍においては、熱により中間転写ベルトが伸張し、定着装置から遠ざかるにつれて中間転写ベルトが収縮するために、像担持体から転写される画像に伸縮が発生してしまう。
【０００４】
この問題点を解決するために、熱定着装置の上カバーの上にもう１枚のカバーを固定してこれら２枚のカバーの間に熱定着装置を冷却するための空気を流通する空気流路を形成した画像形成装置が知られている（例えば、特許文献１参照）。また、画像形成装置内部の熱源部から被保護部への熱の伝達を遮るために、熱源部と被保護部との間に専用の通気ダクトを設けるとともに、通気ダクト内に吸熱部と放熱部とを有する熱交換装置を備え、熱源部付近に設けられた吸熱部で吸熱を行い、通気ダクトの排気口側に設けた放熱部から放熱を行う画像形成装置が知られている（例えば、特許文献２参照）。
【０００５】
【特許文献１】特開２０００−２２７７３０号公報（第４頁、第４図）
【特許文献２】特開平１１−３３８３３２号公報（第３頁、第２図）
【発明の開示】
【発明が解決しようとする課題】
【０００６】
しかし、特許文献１の発明においては、熱定着装置を冷却する空気は、熱定着装置の長手方向の一端部に設けられた吸気ファンから吸気され、熱定着装置からの熱を受けて徐々に昇温しながら空気流路を流通し、熱定着装置の他端部に設けられた排気ファンにより排気される。このため、空気流路を流通する空気は、熱定着装置の一端部側では比較的低温であり、他端部付近では比較的高温となる。従って、熱定着装置から中間転写ベルトに伝わる熱量は、熱定着装置の一端部側では比較的少なく、他端部側に向かうにつれて多くなり、中間転写ベルトに幅方向（中間転写ベルトの走行方向と直行する方向）に渡る温度勾配が生じてしまうという問題点がある。
【０００７】
また、特許文献２の発明においては、専用の通気ダクト中に冷却のための大気を流通させるので、通気ダクトの外部に浮遊状態で存在する飛散トナーや紙粉等の異物を通気ダクトにより積極的に除去できず、これらの異物が中間転写ベルト等に付着して不良画像発生の原因になってしまうという問題点がある。
【０００８】
この発明は、これらの問題点に鑑みなされたものであり、定着装置の発する熱を効果的に除去することで中間転写ベルトに対する熱の影響を小さくするとともに、定着装置の発する熱の影響を中間転写ベルトの幅方向に渡って均一にし、且つ、装置内部に浮遊する異物を除去することが可能なタンデム型カラー画像形成装置を得ることを課題とする。
【課題を解決するための手段】
【０００９】
前記課題を解決するために、請求項１に記載の発明は、像担持体が担持する画像が重畳して転写される中間転写ベルトを備えた画像形成部と、この画像形成部から搬送される被転写材上の画像を定着する定着手段とを有するタンデム型カラー画像形成装置において、前記定着手段と画像形成部との間を区画する区画部材が配設され、この区画部材より定着手段の被転写材搬送方向下流側であって、装置本体の側壁と区画部材との間に形成される大気流路の上部に定着手段から発生する熱を装置本体外に排出し、被転写材を冷却するための強制冷却手段が設けられていることを特徴とする。
【００１０】
請求項２に記載の発明は、請求項１に記載のタンデム型カラー画像形成装置において、大気流路は、画成板によって、区画部材側であって定着手段から発する熱が強制冷却手段のある方向へ輸送される第１の流路と、被転写材から発する熱が強制冷却手段のある方向へ輸送される第２の流路とにセパレートされており、前記大気流路における大気の流通方向は、前記中間転写ベルトの走行方向に沿っていることを特徴とする。
【００１１】
請求項３に記載の発明は、請求項２に記載のタンデム型カラー画像形成装置において、第２の流路には開閉板が設けられていることを特徴とする。
【００１２】
請求項４に記載の発明は、請求項３に記載のタンデム型カラー画像形成装置において、開閉板は、開位置で、被転写材から発する熱が強制冷却手段のある方向へ輸送されるように第２の流路を開放し、閉位置で、第２の流路を閉鎖するようになっていることを特徴とする。
【００１３】
請求項５に記載の発明は、請求項１〜４の何れか１項に記載のタンデム型カラー画像形成装置において、区画部材は、前記定着手段と中間転写ベルトとの間に配置される吸熱部と、該吸熱部に接続され前記強制冷却手段よりも上方に配置される放熱部とを備えていることを特徴とする。
【発明の効果】
【００１４】
この発明は、定着手段と画像形成部との間を区画する区画部材が配設され、この区画部材より定着手段の被転写材搬送方向下流側であって、装置本体の側壁と区画部材との間に形成される大気流路の上部に定着手段から発生する熱を装置本体外に排出し、被転写材を冷却するための強制冷却手段が設けられているので、定着装置の発する熱を効果的に除去することで中間転写ベルトに対する熱の影響を小さくするとともに、定着装置の発する熱の影響を中間転写ベルトの幅方向に渡って均一にすることができる。また、従来問題となっていた装置内部に浮遊する異物を効率的に除去することができる。
【発明を実施するための最良の形態】
【００１５】
以下、この発明の実施の形態を、図面を参照して具体的に説明する。図１は、画像形成装置の全体概略構成を示す側面図、図２は、画像形成装置の要部を模式的に示した斜視図、図３は、画像形成装置の要部を模式的に示した拡大側面図である。
【００１６】
図１において、１はタンデム型カラー画像形成装置であり、３はその装置本体である。装置本体３内のほぼ中央には画像形成部５が配置され、この画像形成部５の下方に給紙部７が配置されている。給紙部７は各段に給紙カセット９を備えている。画像形成部５の上方には、原稿画像を読取るための読取部１１が配設されている。画像形成部５の左側には、排紙収納部１３が配置され、画像形成された被転写材Ｐが排紙収納される。
【００１７】
画像形成部５は、中間転写体としての無端状の中間転写ベルト１５と、中間転写ベルト１５の上側に配置された作像部１７と、中間転写ベルト１５の下側に配置された２次転写装置２７とを備えている。中間転写ベルト１５は、複数の支持ローラ１６，１６…に掛け渡されて、図面矢印方向へと駆動される。作像部１７には、トナーの色（Ｙ，Ｍ，Ｃ，Ｋ）毎に設けられたドラム状の感光体１９、感光体１９の表面に帯電処理を行う帯電装置２１、画像情報を感光体１９表面にレーザ光で照射する露光装置２３、感光体１９の表面に露光されて形成された静電潜像を可視化する現像装置２５、及び、感光体１９上に残留するトナーを除去回収するクリーニング装置等が配置されている。２次転写装置２７は、中間転写ベルト１５上に重畳転写された４色のトナー像を被転写材Ｐに転写するためのものである。また、２次転写装置２７の中間転写ベルト１５の進行方向下流側には、転写後の中間転写ベルト１５表面に残留するトナーを除去回収する中間転写クリーニング装置２９がそれぞれ配置されている。
【００１８】
中間転写クリーニング装置２９よりも被転写材Ｐの搬送方向下流側であって、中間転写ベルト１５の下方には、中間転写ベルト１５の下側に潜り込むように、２次転写装置２７でトナー像の転写を受けた被転写材Ｐに熱と圧力とを加えることでトナー像を定着処理する定着手段としての定着装置３１が配置されている。定着装置３１と中間転写ベルト１５との間には、区画部材としてのヒートパイプ４５が配置されている。装置本体３の側壁５３とヒートパイプ４５の側面との間には強制冷却手段としてのファン４７が配置されている。このファン４７は、中間転写ベルト１５の幅方向の中央部付近に配置されている。ファン４７の下側の空間は、定着装置３１から搬送される被転写材Ｐが通過する被転写材搬送経路５５に連通している。ファン４７と被転写材搬送経路５５との間には、側面視でほぼＬ字型の画成板４９がヒートパイプ４５との間に所定の間隔を空けて配置されている。画成板４９はその屈曲部４９ａから一方側が上方、即ちファン４７方向に延出し、他方側が側方、即ち定着装置３１方向に延出するように配置されている。この画成板４９の屈曲部４９ａには、上下方向に揺動可能な開閉板５１が配置されている。尚、ヒートパイプ４５、ファン４７、画成板４９、開閉板５１等については後述する。また、定着装置３１の被転写材Ｐの搬送方向下流側には、定着装置３１から搬送される被転写材Ｐを、被転写材搬送経路５５を介して排紙収納部１３に排紙する排紙ローラ３３が設けられている。
【００１９】
給紙部７の給紙カセット９には被転写材Ｐが積層される。給紙カセット９の底面には上下動可能に設けられた底板が設けられており、被転写材Ｐの搬送を開始する際に、積層された被転写材Ｐを給紙ローラが当接可能な位置まで上昇させる。２次転写装置２７の被転写材搬送方向上流側には、レジストローラ３５が設けられている。給紙カセット９から搬送された被転写材Ｐは、このレジストローラ３５の位置で一旦停止され、中間転写ベルト１５上に重畳転写されたトナー像と被転写材Ｐの先端との位置が揃うタイミングで２次転写装置２７へと搬送される。
【００２０】
読取部１１には、原稿を載置するためのコンタクトガラス３７が設けられている。また、コンタクトガラス３７の下方には、原稿の読み取り走査を行うために往復移動する原稿照明用光源とミラーよりなる読み取り走行体３８，３９が設けられている。この読み取り走行体３８，３９により走査された画像情報は、レンズ４１の後方に設置されているＣＣＤ４３に画像信号として読み込まれる。この読み込まれた画像信号は、デジタル化され画像処理される。画像処理された信号に基づいて、露光装置２３内のレーザダイオードＬＤ（不図示）の発光により感光体１９の表面に静電潜像が形成される。ＬＤからの光信号は、公知のポリゴンミラーやレンズを介して感光体１９に照射される。
【００２１】
続いて、図２，３を参照して、ヒートパイプ４５、ファン４７、画成板４９、開閉板５１付近の構成について詳述する。ヒートパイプ４５は、図３に示すように側面視でほぼＬ字型であり、図２に示すように定着装置３１及び中間転写ベルト１５の幅と同等かそれ以上の幅を有している。ヒートパイプ４５は、定着装置３１と中間転写ベルト１５との間に配置され、ほぼ水平に延出する吸熱部４５ａと、吸熱部４５ａの一端に熱輸送可能に接続され、吸熱部４５ａの被転写材搬送方向前端部からほぼ垂直に延出する放熱部４５ｂと、吸熱部４５ａの他端から２次転写装置２７の方向へ向けて斜め下方に所定の長さだけ延出する吸熱部４５ｃとを有している。放熱部４５ｂの上端部付近には、ファン４７の方向を向いた放熱フィン５４が設けられている。図示しないが、ヒートパイプ４５の内部には、代替フロンや水等の作動液が真空封入された細い金属製のパイプが多数配置されている。ヒートパイプ４５においては、吸熱部４５ａ，４５ｃで蒸発潜熱が吸収されて作動液が蒸気となり、この蒸気が前記パイプ中を移動して放熱部４５ｂに至り、放熱部４５ｂにおいて蒸発潜熱を放出して液体となることで、熱を吸熱部４５ａ，４５ｃから放熱部４５ｂへと効率よく輸送することができる。
【００２２】
ヒートパイプ４５よりも定着装置３１の被転写材Ｐの搬送方向下流側であって、ヒートパイプ４５と装置本体３の側壁５３との間には、大気を流通させるための大気流路５７が形成されている。この大気流路５７には、側壁５３と放熱部４５ｂの下部との間に、中間転写ベルト１５の走行方向に沿って、下から上に向かって大気を流通するファン４７が配置されており、ファン４７から排気された大気を図示しない排気経路を流通させて装置本体３の外部に排出するように構成されている。大気流路５７は、ファン４７の下方に配置された画成板４９により第１の流路５７ａと第２の流路５７ｂとにセパレートされている。
【００２３】
第１の流路５７ａは定着装置３１とヒートパイプ４５との間隙及び画成板４９とヒートパイプ４５との間の間隙により構成されており、定着装置３１が発する熱をファン４７のある方向へ輸送して、装置本体３の外部に排出する。第２の流路５７ｂは、画成板４９と側壁５３との間の間隙により構成されており、被転写材Ｐが発する熱をファン４７のある方向へ輸送して、装置本体３の外部に排出する。また、画成板４９の屈曲部４９ａには開閉板５１が配置されている。開閉板５１は、屈曲部４９ａに設けた支軸を支点として揺動して、第２の流路５７ｂを開閉する。即ち、開閉板５１が、図３の実線で示す位置（以下、開位置と言う）にある場合には、第２の流路５７ｂが開放され、定着装置３１を通過することで加熱された被転写材Ｐが発する熱をファン４７のある方向へ輸送して、装置本体３の外部に排出する。同時に、開位置においては、開閉板５１は、定着装置３１と排紙収納部１３との間の被転写材搬送経路５５において、被転写材搬送経路５５を狭めるように垂下することになるために、定着装置３１から被転写材搬送経路５５を介して装置本体３内に漏れる熱を遮蔽することが可能となる。また、開閉板５１は、被転写材Ｐが被転写材搬送経路５５を搬送されない状態では、図３の点線で示す位置（以下、閉位置と言う）に配置され、第２の流路５７ｂを閉鎖することで、第１の流路５７ａを流通する大気の流量を増加させる。
【００２４】
尚、ファン４７は、中間転写ベルト１５の幅方向の中央部付近に１個のみ配置されているが、中間転写ベルト１５の幅方向に沿って等間隔に複数個のファンを設けても良い。このようにすることにより、第１の流路５７ａ中を流通する大気の流通方向は、より中間転写ベルト１５の走行方向に沿ったものとなり、中間転写ベルト１５の幅方向に沿って流通する大気の量が少なくなるので、第１の流路５７ａ中を流通する大気の中間転写ベルト１５の幅方向の温度のバラツキを抑制し、中間転写ベルト１５の幅方向における温度勾配の発生を抑制できる。
【００２５】
また、画成板４９及び開閉板５１は、必須の構成要件ではなく、ヒートパイプ４５及びファン４７のみでも定着装置３１が発する熱の中間転写ベルト１５への影響を抑えることが可能である。
【００２６】
このようなタンデム型カラー画像形成装置１において、装置稼動に伴い、定着装置３１からは対流及び放射により熱が周囲に発せられ、ファン４７が稼動して大気の流通を開始する。画像形成部５による画像形成動作が行われておらず、被転写材Ｐが被転写材搬送経路５５を搬送されていない場合には、開閉板５１は閉位置とされ、第２の流路５７ｂが閉鎖されて第１の流路５７ａを流通する大気の流量が増加されることで、定着装置３１から装置本体３外への熱の輸送効率が高められる。この場合には、定着装置３１から発生した熱の一部分は、第１の流路５７ａ中を、中間転写ベルト１５の走行方向に沿って下方から上方に向けて流通する大気によって輸送され、ファン４７及び排気経路を通って装置本体３の外部に排出される。これにより、定着装置３１が発する熱が除去され、中間転写ベルト１５への熱の影響が低減される。
【００２７】
定着装置３１から発生した熱の内、第１の流路５７ａを流通する大気により装置本体３の外部に排出されなかった部分は、ヒートパイプ４５の吸熱部４５ａ，４５ｃにより吸熱される。吸熱部４５ａ，４５ｃにより吸熱された熱は、中間転写ベルト１５から離間した位置に配置された放熱部４５ｂへと輸送される。放熱部４５ｂに輸送された熱は、ファン４７の送風経路中に配置された放熱フィン５４から大気へと放熱され、第１の流路５７ａを流通する大気により輸送された熱とともに、排気経路を通って装置本体３の外部に排出される。これにより、定着装置３１が発する熱が除去され、中間転写ベルト１５への熱の影響がさらに低減される。
【００２８】
画像形成動作が行われ、被転写材Ｐが被転写材搬送経路５５を搬送される場合には、開閉板５１が開位置に揺動され、第２の流路５７ｂが開放される。これにより、被転写材搬送経路５５から第２の流路５７ｂを経て大気が流通することが可能となる。この場合には、前記したように、第１の流路５７ａを介した大気の流通及びヒートパイプ４５を介した熱輸送により定着装置３１から中間転写ベルト１５への熱の影響が低減されるとともに、第２の流路５７ｂを介した大気の流通により、被転写材搬送経路５５を搬送される被転写材Ｐが蓄熱する熱が装置本体３の外部に排出される。すなわち、定着装置３１により加熱された被転写材Ｐは、被転写材搬送経路５５を搬送される過程で、開放された第２の流路５７ｂを流通する大気と熱交換を行うことで冷却される。被転写材Ｐとの熱交換で昇温した大気は、第２の流路５７ｂ及びファン４７を通過して第１の流路５７ａを流通する大気と合流した上で、排気経路を通って装置本体３の外部に排出される。また、開閉板５１は開位置では、被転写材搬送経路５５を狭めるように垂下することとなるので、被転写材搬送経路５５を介しての定着装置３１からの熱の漏れを少なくすることができる。
【００２９】
このように、この実施の形態のタンデム型カラー画像形成装置においては、定着装置３１から発生する熱を効率よく装置本体３の外部に排出するために、（１）定着装置３１とヒートパイプ４５との間隙である第１の流路５７ａ中に大気を流通させる、（２）中間転写ベルト１５と定着装置３１との間にヒートパイプ４５を配置する、という２つの手段を用いているので、中間転写ベルト１５への熱の影響を低減し、定着装置３１の発する熱による中間転写ベルト１５の部分的な伸張を抑制し、中間転写ベルト１５表面で画像の位置変動を防止できる。また、ファン４７は、大気流路５７を介して装置本体３内部から大気を吸引し、装置本体３外部へと排出するので、装置本体３内部に浮遊状態で存在する飛散トナーや紙粉等の異物を積極的に装置本体３外部に排出することができ、中間転写ベルト１５等に対するこれらの異物の付着を抑制し、不良画像の発生を抑制することができる。
【００３０】
また、大気流路５７には、定着装置３１とヒートパイプ４５との間隙及び画成板４９とヒートパイプ４５との間の間隙により構成され、定着装置３１が発する熱を輸送するために専用に設けられた第１の流路５７ａが配置されており、この第１の流路５７ａには、ファン４７により常に大気が流通されているので、定着装置３１から発生する熱を効率よく装置本体３の外部に排出し、中間転写ベルト１５への熱の影響を低減することができる。また、第１の流路５７ａを設けることにより、ヒートパイプ４５への熱負担を軽くすることができ、ヒートパイプ４５として、熱輸送量の小さい小型のものを用いることができるため、定着装置３１及び中間転写ベルト１５付近における部材の配置の自由度を増すことができる。
【００３１】
また、ファン４７により、第１の流路５７ａ中を流通する大気の流通方向は、中間転写ベルト１５の走行方向に沿っており、中間転写ベルト１５の幅方向に向かう流通方向を持つ大気が少ないので、第１の流路５７ａを流通する大気は、中間転写ベルト１５の幅方向で場所によらずほぼ均一な温度となる。よって、第１の流路５７ａを流通する大気から中間転写ベルト１５が受ける熱の影響は、中間転写ベルト１５の幅方向に渡って均一なものとなり、中間転写ベルト１５の幅方向における温度勾配の発生を抑制できる。これにより、中間転写ベルト１５は、幅方向において均一に伸縮することになり、中間転写ベルト１５の幅方向における周長差の発生を防止できる。
【００３２】
また、ファン４７により、大気流路５７中を下から上へと大気を流通させることにより、定着装置３１や被転写材Ｐとの熱交換により昇温することで密度が低下した大気の浮力をも大気流路５７中における大気の流通に利用できるため、定着装置３１や被転写材Ｐが発生する熱を効率よく装置本体３の外部に排出することができる。
【００３３】
また、第２の流路５７ｂに開閉板５１を設けたので、被転写材Ｐが被転写材搬送経路５５を搬送されていないときには、第２の流路５７ｂを開閉板５１によって閉鎖し、第１の流路５７ａに流れる大気の流量を大きくすることで、第１の流路５７ａを流通する大気による定着装置３１から発生する熱の排出効率を高めることができる。また、被転写材Ｐが被転写材搬送経路５５を搬送されているときには、開閉板５１は、被転写材搬送経路５５を狭めるように垂下することとなるので、被転写材搬送経路５５を介しての定着装置３１からの熱の漏れが少なくなり、定着装置３１の温度低下が抑制され、定着装置３１の定着効率を上げることができる。
【００３４】
さらに、ヒートパイプ４５は、放熱フィン５４が設けられた放熱部４５ｂがファン４７よりも上方の送風経路中に設けられているので、吸熱部４５ａ，４５ｃで吸熱された熱を効率よく排出することが可能となる。
【図面の簡単な説明】
【００３５】
【図１】この発明の一実施の形態である画像形成装置の概略構成を示す側面図である。
【図２】画像形成装置の要部を模式的に示した斜視図である。
【図３】画像形成装置の要部を模式的に示した拡大側面図である。
【符号の説明】
【００３６】
１  タンデム型カラー画像形成装置                ３  装置本体
５  画像形成部                                  ７  給紙部
９  給紙カセット                                １１  読取部
１３  排紙収納部                                １５  中間転写ベルト
１７  作像部                                    １９  感光体
２１  帯電装置                                  ２３  露光装置
２５  現像装置                                  ２７  ２次転写装置
２９  中間転写クリーニング装置                  ３１  定着装置
３３  排紙ローラ                                ３５  レジストローラ
３７  コンタクトガラス                          ３８，３９  読み取り走行体
４１  レンズ                                    ４３  ＣＣＤ
４５  ヒートパイプ                              ４５ａ  吸熱部
４５ｂ  放熱部                                  ４５ｃ  吸熱部
４７  ファン                                    ４９  画成板
４９ａ  屈曲部                                  ５１  開閉板
５３  側壁                                      ５５  被転写材搬送経路
５７  大気流路                                  ５７ａ  第１の流路
５７ｂ  第２の流路
【図１】
2005301112.tif 000003
【図２】
2005301112.tif 000004
【図３】
2005301112.tif 000005